(57)【要約】【課題】群管理型照明制御システムを提供する。【解決手段】本発明の群管理式照明制御システムは、少なくとも一つの制御インターフェースからなり、使用者の操作により主制御信号を生成する。この制御インターフェースは一つ、或いは、複数の制御可能ドライバを連接して、主制御信号に基づいて、対応する光源を駆動する。制御可能ドライバは、順に、一つ、或いは、複数のドライバを直列し、これらのドライバは、制御可能ドライバにより生成される制御信号に従って、連接する光源を制御して、対応動作を生成する。本発明は、直列連接設計に、複数の制御可能調光式ドライバを組み合わせ、無制限に装着でき、且つ、装着後、即座に使用でき、いかなる設定動作も不要で、操作が簡単、すぐに覚えられる。【選択図】図１
2009054585.tif 000002
【特許請求の範囲】
【請求項１】
群管理型照明制御システムであって、
主制御信号を生成する少なくとも一つの制御インターフェースと、
第一光源を駆動し、前記主制御信号を受信して、対応動作を生成すると共に、第一制御信号を生成する少なくとも一つの第一制御可能ドライバと、
前記第一制御可能ドライバを直列し、前記第一制御信号に基づいて、対応動作を生成して、第二光源を駆動する少なくとも一つの第一ドライバと、
からなることを特徴とする群管理型照明制御システム。
【請求項２】
前記第一ドライバは、更に、複数のドライバを順に直列し、前記の各ドライバは、前記制御信号に基づいて、対応動作を生成することを特徴とする請求項１に記載の群管理型照明制御システム。
【請求項３】
更に、少なくとも一つの第二制御可能ドライバを有し、前記第一ドライバに連接されて、前記第一制御信号を受信して、対応動作を生成すると共に、第二制御信号を生成して、前記第二制御可能ドライバに直列される複数の第二ドライバを制御することを特徴とする請求項１に記載の群管理型照明制御システム。
【請求項４】
更に、少なくとも一つの第二制御可能ドライバを有し、前記制御インターフェースに連接されて、前記主制御信号を受信して、対応動作を生成すると共に、第二制御信号を生成して、前記第二制御可能ドライバに連接される複数の第二ドライバを制御することを特徴とする請求項１に記載の群管理型照明制御システム。
【請求項５】
前記第一制御可能ドライバは、調光電子安定器、調光電子変圧器、LEDモジュールコントローラーから選択し、且つ、前記第一制御可能ドライバが電子変圧器である時、前記第一光源はハロゲンランプ、或いは、タングステンランプで、及び、前記第一制御可能ドライバがLEDモジュールコントローラーである時、第一ランプはLEDモジュールであることを特徴とする請求項１に記載の群管理型照明制御システム。
【請求項６】
前記第一ドライバと前記第一制御可能ドライバは同じタイプであることを特徴とする請求項５に記載の群管理型照明制御システム。
【請求項７】
前記第二制御可能ドライバは、調光電子安定器、調光電子変圧器、LEDモジュールコントローラーから選択し、且つ、前記第二制御可能ドライバは調光電子変圧器である時、ハロゲンランプ、或いは、タングステンランプを駆動し、及び、前記第二制御可能ドライバがLEDモジュールコントローラーである時、LEDモジュールを駆動することを特徴とする請求項３に記載の群管理型照明制御システム。
【請求項８】
前記第二ドライバは、前記第二制御可能ドライバと同じタイプであることを特徴とする請求項７に記載の群管理型照明制御システム。
【請求項９】
前記第二制御可能ドライバは、調光電子安定器、調光電子変圧器、LEDモジュールコントローラーから選択し、且つ、前記第二制御可能ドライバが電子変圧器である時、ハロゲンランプ、或いは、タングステンランプを駆動し、及び、前記第二制御可能ドライバがLEDモジュールコントローラーである時、LEDモジュールを駆動することを特徴とする請求項４に記載の群管理型照明制御システム。
【請求項１０】
前記第二ドライバは、前記第二制御可能ドライバと同じタイプであることを特徴とする請求項９に記載の群管理型照明制御システム。
【請求項１１】
前記制御インターフェースは、有線伝送、無線信号、赤外線信号、或いは、音声制御信号等の方式で、前記主制御信号を伝送することを特徴とする請求項１に記載の群管理型照明制御システム。
【請求項１２】
前記第一ドライバが駆動する第一光源、及び、前記ドライバが駆動する光源は、それぞれ、白色光源、赤色光源、青色光源、及び、緑色光源から選択し、対応動作を生成することを特徴とする請求項２に記載の群管理型照明制御システム。
【請求項１３】
前記制御インターフェースは、制御パネル、リモコン、切り換えスイッチ、旋転ボタン、タッチスイッチ、音声制御スイッチ、コンピュータ、或いは、携帯型の電子装置等であることを特徴とする請求項１に記載の群管理型照明制御システム。
【発明の詳細な説明】
【技術分野】
【０００１】
本発明は、照明設備に関するものであって、特に、組み立てが簡単便利な群管理型照明制御システムに関するものである。
【背景技術】
【０００２】
照明設備は夜間に生活上に必須の照明、或いは、雰囲気を提供する以外に、昼間のオフィスでも重要な役割を担っており、商業ビル、或いは、居住空間でも、基本照明、装飾性照明、及び、機能性照明等、美観と功能を兼備していることが理想的である。
【０００３】
ランプの発明後、異なる場所に適用する新しい光源が開発され、蛍光灯、ハロゲンランプ、或いは、LEDモジュール等は皆、異なる場所によって、回路を配置し、ランプ、特に、群管理式のランプを装着する。一般に、群管理式のランプ設計が有線設計、例えば、ヨーロッパのDALI（Digital Addressable Lighting Interface）の場合、通常、インターフェース装置により制御される各光源を結合し、使用者による制御を可能にするので、制御スイッチから、インターフェースにより、光源が所在する位置に配線する。よって、制御スイッチから光源の距離が長くなると、配線も長くなり、且つ、線路が長すぎると、信号のノイズが過大になり、通常は、更に、中継装置を設置して、信号の強度を増強するので、施工が煩雑で、必要な配線量が増え、使用者にとって、この工程は非常に手間がかかり、施工に必要な材料と人力支出がコストを増加させる。一方、群制御型ランプ設計が無線制御設計の場合、配線を省略することができるが、使用前に信号マッチング設定を実行する必要があるので、使用者は、使用前に、まず、複雑な設定工程を習得する必要があるので、非常に不便である。
【０００４】
よって、本発明は、群管理型照明制御システムを提供し、直列連接方式により、配線を省略し、操作を容易にして、効果的に公知技術中の問題を解決する。
【発明の開示】
【発明が解決しようとする課題】
【０００５】
本発明は、群管理型照明制御システムを提供し、同一制御回路中、一組の並列／直列接続だけ採用するので、配線長さと施工を効果的に減少させ、また、直列接続中、更に、少なくとも一つの制御可能調光式ドライバを設置し、更に多くのランプを接続することができるようにすることを目的とする。
【０００６】
本発明は、群管理型照明制御システムを提供し、装着後、いかなるプリセットも不要であるので、複雑な使用設定を習得しなくても、操作が容易で、すぐ使用できるようにすることを目的とする。
【０００７】
本発明は、群管理型照明制御システムを提供し、公知中において必要であった中継装置、コントローラー、或いは、制御信号増幅器を省略し、ワイヤが必要ないので、元の内装を破壊することなく、且つ、現有の制御装置と費用を減少させることを目的とする。
【課題を解決するための手段】
【０００８】
上述の目的を達成するため、本発明の群管理型照明制御システムは、主制御信号を少なくとも第一制御型ドライバに生成して、第一制御可能ドライバが主制御信号を受信した後、対応動作を生成して、第一光源を駆動すると共に、第一制御信号を生成する少なくとも一つの制御インターフェースと、第一制御可能ドライバに連接され、第一ドライバが、第一制御信号に基づいて、対応動作を生成し、第二光源を駆動する少なくとも一つの第一ドライバと、からなる。
【０００９】
更に、前記制御インターフェース、或いは、第一ドライバ端に、第二制御可能ドライバを連接して、主制御信号、或いは、第一制御信号を受信して、対応動作を生成すると共に、第二制御信号により複数の第二ドライバの作動を制御する。この設計により、光源数量を無制限で増加することができる。
【発明の効果】
【００１０】
本発明の群管理型照明制御システムは、同一制御回路中、一組の並列／直列接続だけ採用するので、配線長さと施工を効果的に減少させ、また、直列接続中、更に、少なくとも一つの制御可能調光式ドライバを設置し、更に多くのランプを接続することができる。
【発明を実施するための最良の形態】
【００１１】
本発明の群管理型照明制御システムは、少なくとも一つの制御インターフェースからなり、使用者に操作制御するインターフェースを提供し、一般の切り換えスイッチでも、制御パネル、リモコン、旋転ボタン、タッチスイッチ、音声制御スイッチ、コンピュータ、或いは、携帯型の電子装置等で、この携帯型電子装置は携帯電話、或いは、PDAである。制御インターフェースは、使用者によって、主制御信号を生成し、この信号は、デジタル信号、或いは、アナログ信号である。制御インターフェースは一つ、或いは、それ以上の第一制御可能ドライバを連接して、主制御信号に基づいて、第一光源を駆動し、第一制御可能ドライバは、順に、一つ、或いは、それ以上の第一ドライバを直列し、第一ドライバは、第一制御可能ドライバが生成する第一制御信号に基づいて、第二光源を制御し、作動させる。本発明が使用する制御可能ドライバ、ドライバ、及び、光源の数量と形式種類は、使用者の必要に応じて異なり、例えば、ドライバは、調光電子安定器、調光電子変圧器、或いは、LEDモジュールドライバ等から選択でき、異なるドライバの種類により、本発明の技術特徴を詳述する。
【００１２】
まず、制御可能電子ドライバは、制御可能調光電子安定器を採用し、光源は、蛍光灯の光源を使用し、以下図中で、蛍光灯と称し、図１で示されるように、制御インターフェース１は、まず、制御可能電子安定器１０を連接し、調光功能を有する。制御可能電子安定器１０は蛍光灯１６を駆動し、この制御可能電子安定器１０は、更に、調光電子安定器１１、１２、１３、１４、１５を直列し、且つ、各調光電子安定器１１〜１５は、それぞれ、蛍光灯１８〜２１を連接駆動する。制御可能電子安定器２２は、調光電子安定器１５に連接されると共に、蛍光灯２８を制御し、制御可能電子安定器２２は、順に、調光電子安定器２３、２４、２５、２６、２７を直列し、且つ、調光電子安定器２３〜２７は、それぞれ、蛍光灯２９〜３３を連接駆動する。最末端の調光電子安定器２７は、更に、制御可能電子安定器３４を装着し、蛍光灯４０を制御する。制御可能電子安定器３４は、順に、調光電子安定器３５、３６、３７、３８、３９を直列し、且つ、調光電子安定器３５〜３９は、それぞれ、蛍光灯４１〜４５を連接駆動する。制御インターフェース１は、主制御信号を発信した後、制御可能電子安定器１０が、主制御信号に基づいて、蛍光灯１６の作動、例えば、発光、輝度調整、消灯、或いは、照度記憶制御を制御し、同時に、第一制御信号を発信して、順に、調光電子安定器１１〜１５、及び、制御可能電子安定器２２に伝送して、蛍光灯１７〜２１、及び、２８を作動させ、この時、制御可能電子安定器３４は、第一制御信号に基づいて、更に、第二制御信号を生成し、順に、調光電子安定器２３〜２７、及び、制御可能電子安定器３４に発信して、蛍光灯２９〜３３、及び、４０を作動させる。この時、制御可能電子安定器３４は、更に、第二制御信号に基づいて、第三信号を生成し、順に、調光電子安定器３５〜３９に発信して、蛍光灯４１〜４５を制御する。もちろん、制御インターフェース１から発信される主制御信号は、単独で、一群を駆動することができ、例えば、単独で、制御可能電子安定器２２、及び、調光電子安定器２３〜２７群を駆動して、この組の蛍光灯２８〜３３の発光、或いは、消灯を駆動する。この時指令は、三個の群を例としているが、本発明は、更に多くの群を増設できる。また、第一、第二、第三制御信号はデジタル直列信号である。
【００１３】
図１の連接方式以外に、複数の制御可能電子安定器は、直接、制御インターフェースに連接され、図２で示されるように、制御インターフェース１は、それぞれ、制御可能電子安定器１０、制御可能電子安定器２２、及び、制御可能電子安定器３４を連接し、主制御信号により、それぞれ制御する。制御可能電子安定器１０は、主制御信号に基づいて、第一制御信号を調光電子安定器１１〜１５に発信し、蛍光灯１７〜２１を駆動する。制御可能電子安定器２２は、主制御信号に基づいて、第二制御信号を調光電子安定器２３〜２７に発信し、蛍光灯２９〜３３を駆動する。同様に、制御可能電子安定器３４は、主制御信号に基づいて、第三制御信号を調光電子安定器３５〜３９に発信し、蛍光灯４１〜４５を駆動する。もちろん、三組は同時に作動しても、別に独立して作動してもよく、且つ、各組内の調光電子安定器は、個別に作動でき、使用者の主制御信号によって決定する。
【００１４】
上述の二種の異なる連接方式の実施例は、調光電子安定器、及び、駆動する蛍光灯光源を採用する以外に、同じ回路構造設計下で、調光電子変圧器により調光電子安定器を代替、ハロゲンランプの光源により蛍光灯光源を代替、或いは、タングステンランプにより蛍光灯光源を代替することができる。或いは、LEDモジュールコントローラにより調光電子安定器を代替し、LEDランプモジュールにより蛍光灯光源を代替することができる。どの種類のドライバと光源を使用しても、同じ効果を達成することができる。
【００１５】
更に、本発明は、図３、及び、図４で示されるように、小面積、或いは、大面積のカラー光照明にすることができ、図３は、図１の連接構造と同じで、図４は、図２の連接構造と同じで、光源を変更しただけであり、図のように、制御可能電子安定器１０は、白色ランプ４６を連接駆動し、調光電子安定器１１は赤色ランプ４７を連接駆動し、調光電子安定器１２は、緑色ランプ４８を連接駆動し、調光電子安定器１３は青色ランプ４９を連接駆動する。制御可能電子安定器２２は、白色ランプ５０を連接駆動し、調光電子安定器２３は赤色ランプ５１を連接駆動し、調光電子安定器２４は、緑色ランプ５２を連接駆動し、調光電子安定器２５は青色ランプ５３を連接駆動する。同様に、制御可能電子安定器３４は、白色ランプ５４を連接駆動し、調光電子安定器３５は赤色ランプ５５を連接駆動し、調光電子安定器３６は、緑色ランプ５６を連接駆動し、調光電子安定器３７は青色ランプ５７を連接駆動する。即ち、制御インターフェース１の主制御信号により、制御可能電子安定器１０、２２、３４の制御信号と組み合わせて、カラー光源変化の照明組み合わせを達成することができ、カラー調光と輝度調整の功能を有する。
【００１６】
更に、本発明は、光源の形式を制限せず、多種の光源を使用して調光することができ、図５で示されるように、制御インターフェース１は、制御可能電子安定器１０、及び、制御可能電子安定器１１〜１３を連接して、それぞれ、白色ランプ４６、赤色ランプ４７、緑色ランプ４８、及び、青色ランプ４９を制御する。この他、制御インターフェース１は、更に、制御可能電子変圧器５８、及び、制御する調光電子変圧器５９〜６１を直列して、ハロゲンランプ６２〜６５を駆動する。もちろん、制御インターフェース１は、更に、制御可能LEDモジュール６６、及び、直列されたLEDモジュールコントローラー６７〜６９を連接して、LEDモジュール７０〜７３を駆動する。このシステム構造により、領域制御の多光源照明システムを達成し、カラー調光、或いは、輝度調整の多功能要求を満たすことができる。
【００１７】
本発明の制御可能ドライバは同時に、信号を受発信でき、更に、受信功能を有するドライバと合わせて、光源数量に制限がなく直列接続でき、便利である。また、制御インターフェースは、有線伝送、無線信号、及び、赤外線信号、或いは、音声制御信号等の方式により、主制御信号を伝送し、幅広く応用できる。
【００１８】
本発明が使用する連接は二線設計、それぞれ、コモンラインと信号線で、使用者は、ドライバを挿入し、この二本の線を連接するだけで、装着が完成する。また、この信号線は、デジタル直列信号を伝送するのに用いられ、デジタル直列信号は、制御可能ドライバとドライバ間、或いは、ドライバとドライバ間の制御信号で、装着後、即時に使用できるので、いかなるプリセット動作が不要で、使用者は複雑な使用設定を習得しなくても、容易に操作できる。更に、本発明は、公知の中継装置、コントローラー、或いは、制御信号増幅器等の素子を省略することができ、ワイヤが必要ないので、元の内装を破壊することなく、且つ、現有の制御装置と費用を減少させる。
【００１９】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【図面の簡単な説明】
【００２０】
【図１】本発明の群管理型白色照明を示す図である。
【図２】本発明の群管理型白色照明のもう一つの実施例を示す図である。
【図３】本発明の群管理型カラー光照明を示す図である。
【図４】本発明の群管理型カラー光照明のもう一つの実施例を示す図である。
【図５】本発明の多種の光源を結合する群管理型照明を示す図である。
【符号の説明】
【００２１】
１  制御インターフェース
１０  制御可能電子安定器
１１〜１５  調光電子安定器
１６〜２１  蛍光灯
２２  制御可能電子安定器
２３〜２７  調光電子安定器
２８〜３３  蛍光灯
３４  制御可能電子安定器
３５〜３９  調光電子安定器
４０〜４５  蛍光灯
４６、５０、５４  白色ランプ
４７、５１、５５  紅色ランプ
４８、５２、５６  緑色ランプ
４９、５３、５７  青色ランプ
５８  制御可能電子変圧器
５９〜６１  調光電子変圧器
６２〜６５  ハロゲンランプ
６６  制御可能ＬＥＤモジュールコントローラー
６７〜６９  ＬＥＤモジュールコントローラー
７０〜７３  ＬＥＤモジュール
【図１】
2009054585.tif 000003
【図２】
2009054585.tif 000004
【図３】
2009054585.tif 000005
【図４】
2009054585.tif 000006
【図５】
2009054585.tif 000007
【外国語明細書】
2009054585000001.pdf